(57)【要約】      （修正有）【課題】照射方向の調整が可能な、携帯型照明器具を提供する。【解決手段】フレーム２と、反射部品と、電源ボックス４と、位置決め装置５とからなる。反射部品は、フレーム２一側の内縁に設けられる。電源ボックス４は、位置決め装置５によってフレーム２内部に枢設されるとともにフレーム２と相対して回転し、且つ位置決め装置５によって位置決めされる。更に電源ボックス４には、発光ユニットが設けられる。発光ユニットは、電源ボックス４の回転と連動して反射部品やその他の方向に向けて照射する。【選択図】図１
0003200201.tif 000002
【実用新案登録請求の範囲】
【請求項１】
フレームと、反射部品と、電源ボックスと、位置決め装置とからなる、携帯型照明器具であって、
前記フレームは、間隔を置いた二つの第一フレーム体と、二つの前記第一フレーム体の間に接続され且つ間隔を置いた第二フレーム体とからなり、
前記第一フレーム体には、取付孔が設けられ、
前記反射部品は、前記第二フレーム体内側に設けられ、
前記電源ボックスは、中空状を呈するとともに、前記第二フレーム体と対応する一側に照明孔が設けられ、且つ前記電源ボックス内部には、少なくとも、制御回路と、発光ユニットと、電池ケースが設けられ、
前記発光ユニット・前記電池ケースは、前記制御回路と電気的に接続され、
前記発光ユニット一側は、前記照明孔に固定され、
前記位置決め装置は、少なくとも、前記フレームの前記取付孔に固定された外軸と、前記電源ボックス一側に固定された内軸とからなり、
前記電源ボックスは、前記内軸が前記外軸に枢設されることにより前記フレーム内部に設けられ、
更に前記外軸には、複数の第一位置決め部が間隔を置いて設けられ、
前記内軸には、少なくとも一つの第二位置決め部が設けられ、
前記第二位置決め部は、回転することで、前記第一位置決め部に入って位置決めされたり前記第一位置決め部から外れたりすることを特徴とする、携帯型照明器具。
【請求項２】
前記外軸は、前記取付孔に貫設されるとともに、前記取付孔の軸方向に沿って穿孔が設けられ、
前記第一位置決め部は、それぞれ前記穿孔の孔壁面に設けられ、
前記外軸における前記電源ボックスを向いた一端には、肩状部が設けられて前記フレーム内側に当接し、前記外軸他端は、前記フレーム外部に露出するとともに外ネジ山が設けられ、
更に、前記位置決め装置には、内ネジ山を備えたスリーブと、孔栓が設けられ、
前記スリーブは、前記外軸の周方向の回転を制限するために、前記外軸の前記外ネジ山と螺合され、
前記孔栓は、前記スリーブ一側に設けられて、前記外軸の前記穿孔を封止し、
前記内軸一側は、前記外軸の前記穿孔に枢設されることを特徴とする、請求項１に記載の携帯型照明器具。
【請求項３】
前記電源ボックスは、対になって合わされた上蓋と、下蓋とからなり、
前記照明孔は、前記上蓋に設けられ、
前記上蓋における前記位置決め装置と対応する一側には、軸孔が設けられ、
前記内軸は、前記軸孔に貫設されるとともに、前記内軸一側は前記上蓋内部に固定され、前記内軸他側は前記上蓋外部に露出して前記外軸に枢設されることを特徴とする、請求項１に記載の携帯型照明器具。
【請求項４】
前記発光ユニットは、発光部品と、ランプカバーとからなり、
前記ランプカバーは、前記発光部品外部に被せられるとともに、前記ランプカバー一側は前記照明孔に固定されることを特徴とする、請求項１に記載の携帯型照明器具。
【請求項５】
前記フレームには、吊下げ部が設けられることを特徴とする、請求項１に記載の携帯型照明器具。
【請求項６】
更に、前記携帯型照明器具には、前記制御回路と電気的に接続されたプッシュ式スイッチが設けられることを特徴とする、請求項１に記載の携帯型照明器具。
【請求項７】
前記位置決め装置一側には、前記制御回路と電気的に接続されたＵＳＢポートが設けられることを特徴とする、請求項１に記載の携帯型照明器具。
【請求項８】
前記照明孔外縁には、波長５００ｎｍ以下の光波を取り除くための黄色のカバーが設けられることを特徴とする、請求項１に記載の携帯型照明器具。
【考案の詳細な説明】
【技術分野】
【０００１】
本考案は、照明器具に関し、特に、光線の投射角度を回転させることが可能な、携帯型照明器具に関する。
【背景技術】
【０００２】
一般的な手持ち照明や吊り下げ式照明を使用する際は、いずれも手で照明器具を持ってから、照明器具の発光電球を照らしたい方向や物品に向けるとともに、光線を目標物に投射することで、物体をはっきりと照らし出す。しかし、このような使用方法は、同時に両手を使って作業する使用者にとっては非常に不便であるため、使用者によっては、照明器具を平面上に置いて、作業のために両手を空けるようにしている。ただし、照明器具が発する光線は平行光束であるため、照明器具を置いた平面と照射方向が合わず、作業の妨げとなってしまうことがよくある。
【考案の概要】
【考案が解決しようとする課題】
【０００３】
本考案者は、照射角度を調整することが出来ないという、従来の携帯用照明器具における問題を解決する、携帯型照明器具を提供することを目的とする。
【課題を解決するための手段】
【０００４】
上述の目的を達成するために、本考案の携帯型照明器具は、フレームと、反射部品と、電源ボックスと、位置決め装置とからなる。
【０００５】
前記フレームは、間隔を置いて設けられた二つの第一フレーム体と、二つの第一フレーム体の間に設けられ且つ間隔を置いた第二フレーム体とからなる。このうち、第一フレーム体には、取付孔が設けられる。
【０００６】
前記反射部品は、前記第二フレーム体内側に設けられる。
【０００７】
前記電源ボックスは、中空状を呈するとともに、前記第二フレーム体と対応する一側に照明孔が設けられる。前記電源ボックス内部には、少なくとも、制御回路と、発光ユニットと、電池ケースが設けられる。前記発光ユニット・前記電池ケースは、前記制御回路と電気的に接続されるとともに、前記発光ユニット一側は前記照明孔に固定される。
【０００８】
前記位置決め装置は、少なくとも、前記フレームの取付孔に固定された外軸と、前記電源ボックス一側に固定された内軸とからなる。前記電源ボックスは、前記内軸が前記外軸に枢設されることにより前記フレーム内部に設けられる。また前記外軸には、複数の第一位置決め部が間隔を置いて設けられ、前記内軸には、少なくとも一つの第二位置決め部が設けられる。
【０００９】
前記電源ボックスが回転している時、前記内軸が連動して回転することで、前記第二位置決め部が前記外軸の第一位置決め部から外れる。更に、前記内軸の第二位置決め部が前記第一位置決め部まで回転した時、弾性材質の前記内軸が突っ張って支えることにより、前記第二位置決め部が前記第一位置決め部に入って位置決めされる。
【図面の簡単な説明】
【００１０】
【図１】本考案の斜視図である（実施例１）。
【図２】本考案の分解図である。
【図３】本考案の電源ボックスの分解図である。
【図４】本考案の断面図である。
【図５】本考案の位置決め装置を示した局部分解図である。
【図６ａ】本考案の位置決め装置の連続動作を示した断面図である。
【図６ｂ】本考案の位置決め装置の連続動作を示した断面図である。
【図７】本考案の側方視平面図である。
【図８】本考案の斜視図である（実施例２）。
【図９】本考案の斜視図である（実施例３）。
【図１０】本考案の斜視図である（実施例３）。
【図１１】本考案の電源ボックスの使用を示した概略図である。（実施例４）
【図１２】本考案の電源ボックスの使用を示した概略図である。（実施例４）
【図１３】本考案を吊り下げた様子を示した概略図である。（実施例５）
【考案を実施するための形態】
【００１１】
（実施例１）
図１から図４を参照する。図は、本考案の携帯型照明器具の実施例１を示した組合せ斜視図・分解図・断面図である。照明器具１は、フレーム２と、反射部品３と、電源ボックス４と、位置決め装置５とからなる。
【００１２】
フレーム２は、間隔を置いて設けられた二つの第一フレーム体２１と、二つの第一フレーム体２１の間に設けられ且つ間隔を置いた第二フレーム体２２とからなる。このうち、一つの第二フレーム体２２内縁には、内向きに凹んだ凹溝２３が設けられ、第一フレーム体２１には、それぞれ取付孔２４が設けられる。尚、実施例１において、第一フレーム体２１と第二フレーム体２２は、それぞれ平板状であるが、外形はこれに限らない。また、接続部分はそれぞれ角丸の形状を呈する。
【００１３】
反射部品３は、第二フレーム体２２の凹溝２３内に固定される。また、反射部品３には、フレーム２内側へ向けて延伸した形状の反射部３１が設けられる。ここでは、反射部３１の形状は円錐形である。
【００１４】
電源ボックス４は、対になって合わされた上蓋４１と、下蓋４２とからなる。上蓋４１と下蓋４２は、中空状を呈して合わされることにより、囲われた部分に収容スペース４３が形成される。上蓋４１は、第二フレーム体２２と対応する一側に、照明孔４１１が設けられるとともに、照明孔４１１の軸方向と垂直になる上蓋４１の二つの壁面には、軸孔４１２がそれぞれ設けられ、且つ照明孔４１１両側における軸孔４１２に近い位置には、それぞれ凸柱４１３が設けられる。更に、電源ボックス４には、上蓋４１から下蓋４２の方へ向かって順に、発光ユニット４４・制御回路４５・台座４６・電池ケース４７が設けられる。このうち、制御回路４５は、基板であるとともに、台座４６上面に設けられる。電池ケース４７は、台座４６と下蓋４２の間に設けられる。発光ユニット４４・電池ケース４７は、それぞれ制御回路４５と電気的に接続される。また発光ユニット４４は、発光部品４４１と、ランプカバー４４２とからなる。ランプカバー４４２は、発光部品４４１外部に被せられるとともに、ランプカバー４４２一側は、照明孔４１１に固定される。加えて、照明孔４１１外縁には、波長５００ｎｍ以下の光波を取り除くことが可能な黄色のカバー８が別途設けられることにより、発光部品４４１の発した光源が黄色カバー８を経由して暖色の光源となる。これにより、蚊が好む波長の光を取り除いて、蚊の視覚機能を一時的に失わせることで、蚊を駆除する効果が得られる。
【００１５】
位置決め装置５は、少なくとも、外軸５１と、内軸５２と、スリーブ５３と、孔栓５４とからなる。外軸５１は、管状を呈するとともに、軸方向に穿孔５１１が設けられる。穿孔５１１の孔壁面には、複数の第一位置決め部５１２が間隔を置いて設けられる。外軸５１一端には、穿孔５１１周縁に沿って外向きの形状を呈した肩状部５１３が設けられる。更に外軸５１は、フレーム２の取付孔２４に貫設されるとともに、肩状部５１３が第一フレーム体２１内側に当接し、且つフレーム２外部に露出した外軸５１他端には、外ネジ山５１４が設けられる。スリーブ５３には、内ネジ山５３１が設けられるとともに、スリーブ５３には外軸５１の軸方向に沿って収容孔５３２が設けられて穿孔５１１と連通し、且つスリーブ５３は外軸５１一端と対応して螺合されることにより、外軸５１を第一フレーム体２１に固定させる。孔栓５４は、収容孔５３２に設けられて、外軸５１の穿孔５１１を封止する。内軸５２は、上蓋４１の軸孔４１２に貫設されるとともに、軸方向に通路５２１が設けられる。更に内軸５２は、上蓋４１内部に位置する一端に嵌合部５２２が設けられて凸柱４１３外縁に被せられるとともに、通路５２１外縁に沿って当接部５２３が凸設されて嵌合部５２２と接続される。内軸５２の当接部５２３一側は、上蓋４１内縁に当接され、内軸５２他側は、上蓋４１外部に露出するとともに、外軸５１の穿孔５１１内に貫設される。内軸５２外縁には、少なくとも一つの第二位置決め部５２４が設けられて、外軸５１の第一位置決め部５１２と対応する。また内軸５２における第二位置決め部５２４の一側には、溝部５２５が設けられる。
【００１６】
上述の構造からなる位置決め装置５は、電源ボックス４の片側に一つ設けられるか、或は、電源ボックス４の両側にそれぞれ設けられる（図を参照）。電源ボックス４の片側に位置決め装置５が設けられた場合、相対する他側は軸棒（図示せず）によってフレーム２の取付孔２４及び上蓋４１の軸孔４１２に貫設されることにより、電源ボックス４の回転動作を補助する。
【００１７】
合わせて図５から図７を参照する。電源ボックス４は、位置決め装置５によってフレーム２内部に枢設される。実施例１において、第一位置決め部５１２は円弧状溝であり、第二位置決め部５２４は弧状凸部である。第一位置決め部５１２の数は、構造上の必要性に応じて増減可能である。また第二位置決め部５２４の数は、少なくとも一つであり、実施例１では二つである。以上により、発光ユニット４４が反射部品に向けて照射した時、反射部３１に反射された光線が周囲に発散されるため、本考案は照射範囲を拡大することが可能になる。
【００１８】
加えて、枢設された電源ボックス４が回転している時、内軸５２の嵌合部５２２が凸柱４１３に押し動かされ、これに内軸５２が連動することで、第二位置決め部５２４が外軸５１の第一位置決め部５１２から外れる。内軸５２の第二位置決め部５２４一側には、溝部５２５が設けられているため、第二位置決め部５２４が第一位置決め部５１２から外れた時、溝部５２５によってスペースが圧縮されることにより（図６ａの矢印方向）、内軸５２が穿孔５１１内で回転可能になる。また、内軸５２の第二位置決め部５２４が第一位置決め部５１２まで回転した時、弾性材質の内軸が突っ張って支えることにより（図６ｂの矢印方向）、第二位置決め部５２４が第一位置決め部５１２に入って位置決めされる。これにより、各種照明の角度を調整するという目的が達成される。
【００１９】
（実施例２）
続いて図８を参照する。本考案は、様々な環境で使用可能なように、フレーム２には吊下げ部２５が設けられる。吊下げ部２５は、第一フレーム体２１・第二フレーム体２２のいずれかに設けられるとともに、環状体をなしてフックに吊り下げられるか、或いは、吊下げ部２５には可撓性の紐体Ｌが貫設されて、紐体Ｌによって吊り下げられる。
【００２０】
（実施例３）
図９・図１０を参照する。位置決め装置５一側には、制御回路４５と電気的に接続されたＵＳＢポート６が設けられる。実施例３において、ＵＳＢポート６は、孔栓５４に設けられる。ＵＳＢポート６は、主に制御回路４５の整流によって充電を行うために用いられる。これにより、時と場所を問わずに使用することが可能になり、特に屋外での使用に適している。更に、照明器具１は、位置決め装置５の孔栓５にプッシュ式スイッチ７が設けられる。プッシュ式スイッチ７は、制御回路４５と電気的に接続される。これにより本考案は、プッシュ式スイッチ７によって発光ユニット４４の照射のオンオフを切り替えることが出来る。
【００２１】
（実施例４）
更に、合わせて図１１・図１２を参照する。電源ボックス４には、挟持部品４８、及びネジ４９が設けられる。挟持部品４８は、Ｕ字型を呈するとともに、Ｕ字型の開口部分の両側にはそれぞれ凸縁４８１が設けられ、且つ挟持部品４８底部と凸縁４８１の間に形成されたスペースの枠部分には電池Ａ外縁が嵌められる。更に、挟持部品４８底部には、螺合孔４８２が設けられ、下蓋４２には、対応する貫孔４２１が設けられる。ネジ４９は、下蓋４２外部から貫孔４２１に貫設されるとともに、挟持部品４８の螺合孔４８２に螺合されることにより、下蓋４２を固定する。ネジ４９頭部には、把持部４９１が枢設される。把持部４９１は、収納された時には下蓋４２底部と平行している。電池を交換する時には、ネジ４９を支点として把持部４９１を回転させて、下蓋４２底部と垂直になるようにしてから、ネジ４９を緩めることにより、下蓋４２を上蓋４１から取り外して、電池Ａを交換する。
【００２２】
（実施例５）
加えて、図１３を参照する。電源ボックス４が所定の角度まで回転した時、把持部４９１を下蓋４２底部と垂直になるように回転させた後、把持部４９１をフックに吊り下げるか、或は紐体Ｌを把持部４９１に通して吊り下げることにより、光線を下向きに投射することが出来る。
【符号の説明】
【００２３】
１        照明器具
２        フレーム
２１    第一フレーム体
２２    第二フレーム体
２３    凹溝
２４    取付孔
２５    吊下げ部
３        反射部品
３１    反射部
４        電源ボックス
４１    上蓋
４１１    照明孔
４１２    軸孔
４１３    凸柱
４２    下蓋
４２１    貫孔
４３    収容スペース
４４    発光ユニット
４４１    発光部品
４４２    ランプカバー
４５    制御回路
４６    台座
４７    電池ケース
４８    挟持部品
４８１    凸縁
４８２    螺合孔
４９    ネジ
４９１    把持部
５        位置決め装置
５１    外軸
５１１    穿孔
５１２    第一位置決め部
５１３    肩状部
５１４    外ネジ山
５２    内軸
５２１    通路
５２２    嵌合部
５２３    当接部
５２４    第二位置決め部
５２５    溝部
５３    スリーブ
５３１    内ネジ山
５３２    収容孔
５４    孔栓
６        ＵＳＢポート
７        プッシュ式スイッチ
Ａ        電池
Ｌ        紐体
８        カバー
【図１】
0003200201.tif 000003
【図２】
0003200201.tif 000004
【図３】
0003200201.tif 000005
【図４】
0003200201.tif 000006
【図５】
0003200201.tif 000007
【図６ａ】
0003200201.tif 000008
【図６ｂ】
0003200201.tif 000009
【図７】
0003200201.tif 000010
【図８】
0003200201.tif 000011
【図９】
0003200201.tif 000012
【図１０】
0003200201.tif 000013
【図１１】
0003200201.tif 000014
【図１２】
0003200201.tif 000015
【図１３】
0003200201.tif 000016